(57)【要約】【課題】  容易にガタつきを防止できるプロテクタのロック構造およびワイヤハーネスを提供する。【解決手段】  本体２１と蓋部２２とを互いに組み合わせて形成される筒体であるプロテクタ２０の内部に電線束１１を収納し、本体２１と蓋部２２とをロック部３０により固定する。このとき、本体２１および蓋部２２の長手方向に沿って所定間隔で配置されているロック部３０のうち、少なくとも二箇所にガタ防止手段３４を有するガタ防止ロック部３１が配置されているので、簡易な構造によりロック部３０のガタ付きを防止してプロテクタ２０の捩れを防止できる。【選択図】  図１
2005160222.tif 000002
【特許請求の範囲】
【請求項１】
互いに組み合わせられることにより電線束を収納可能な筒体を形成する本体および蓋部と、前記本体および前記蓋部を相互に係合可能な複数のロック部とを備え、
前記各ロック部が前記本体および前記蓋部の長手方向に沿って所定間隔で配置されているプロテクタのロック構造であって、
前記各ロック部が配置されるべき個所のうち、少なくとも二箇所にガタ防止手段を有するガタ防止ロック部が配置されていることを特徴とするプロテクタのロック構造。
【請求項２】
前記各ガタ防止ロック部が、少なくとも前記本体および前記蓋部の長手方向両端部に配置されていることを特徴とする請求項１に記載したプロテクタのロック構造。
【請求項３】
前記本体および前記蓋部により形成される前記筒体が屈曲しているとともに、前記ガタ防止ロック部が前記筒体の屈曲部の近傍に配置されていることを特徴とする請求項１又は請求項２に記載したプロテクタのロック構造。
【請求項４】
前記各ガタ防止ロック部が、前記筒体の長手方向に対して交差する方向に沿って対向配置されていることを特徴とする請求項１から請求項３のうちのいずれかに記載したプロテクタのロック構造。
【請求項５】
前記各ガタ防止ロック部が、前記本体および前記蓋部のうちの一方から他方に向かって延びる係止片と、前記本体および前記蓋部のうちの他方に設けられて前記係止片が挿入される係止部とを備え、
前記係止片の幅寸法が前記係止部の内寸法より大きめの略同一であるとともに、前記係止片の幅方向両端縁に当該係止片の幅方向に向かって徐々に肉厚が薄くなるテーパ部が設けられていることを特徴とする請求項１から請求項４のうちのいずれかに記載したプロテクタのロック構造。
【請求項６】
請求項１から請求項５のうちのいずれかに記載したプロテクタのロック構造を有するプロテクタが装着されていることを特徴とするワイヤハーネス。
【発明の詳細な説明】
【技術分野】
【０００１】
本発明はプロテクタのロック構造およびワイヤハーネスに係り、例えば自動車に配策されるワイヤハーネスを保護するプロテクタのロック構造およびワイヤハーネスに関する。
【背景技術】
【０００２】
従来より、プロテクタのロック構造およびワイヤハーネスとしては、図６および図７に示すようなものが知られている。図６に示すように、互いに組み合わせられることにより電線束１０３を収納可能な筒体であるプロテクタ１００は、本体１０１および蓋部１０２を有している。この本体１０１と蓋部１０２の間には、相互に係合可能な複数のロック部１１０が設けられている。
図７に示すように、ロック部１１０では、本体１０１および蓋部１０２の一方（例えば本体１０１）には内側に空間１１１ａを有する門型の係止部１１１が設けられており、他方には先端にツメ１１２ａを有する舌状の係止片１１２が設けられている。
【０００３】
従って、蓋部１０２を本体１０１にロックするには、図７に示すように、係止片１１２を係止部１１１の空間１１１ａに通して、係止片１１２の先端のツメ１１２ａを係止部１１１で係止することにより行う。
しかしながら、図８に示すように、通常、係止片１１２が係止部１１１の空間の幅よりも小さいため、両者の間には隙間１１３が発生し、ガタが生じてプロテクタ１００が捩れやすくなるという問題があった。
【０００４】
そこで、特許文献１に開示されているような対策が採られてきた（特許文献１参照）。
すなわち、図９に示すように、係止部１１１の内側に突出する先端が尖った係止突起１１４を設け、係止片１１２を係止部１１１の空間に装着すると、係止突起１１４の先端がつぶれて係止片１１２を押えるようにしてガタつきを防止した。
【特許文献１】特開２００２−２５３５３３号公報（図１）
【発明の開示】
【発明が解決しようとする課題】
【０００５】
ところで、特許文献１に示されているようなロック構造にすることにより、係止部１１１と係止片１１２とのガタつきを防止できるものの、係止部１１１の内面に係止突起１１４を設けるためには複雑な金型が必要となり、コストアップを招くという不都合があった。
【０００６】
本発明は、前述した問題点に鑑みてなされたものであり、その目的は、容易にガタつきを防止できるプロテクタのロック構造およびワイヤハーネスを提供することにある。
【課題を解決するための手段】
【０００７】
１）前述した目的を達成するために、本発明に係るプロテクタのロック構造は、互いに組み合わせられることにより電線束を収納可能な筒体を形成する本体および蓋部と、前記本体および前記蓋部を相互に係合可能な複数のロック部とを備え、前記各ロック部が前記本体および前記蓋部の長手方向に沿って所定間隔で配置されているプロテクタのロック構造であって、前記各ロック部が配置されるべき個所のうち、少なくとも二箇所にガタ防止手段を有するガタ防止ロック部が配置されていることを特徴としている。
【０００８】
このように構成されたプロテクタのロック構造においては、本体と蓋部とを互いに組み合わせて形成される筒体であるプロテクタの内部に電線束を収納し、本体と蓋部とをロック部により固定する。このとき、本体および蓋部の長手方向に沿って所定間隔で配置されているロック部のうち、少なくとも二箇所にガタ防止手段を有するガタ防止ロック部が配置されているので、簡易な構造によりロック部のガタ付きを防止してプロテクタの捩れを防止できる。
【０００９】
２）また、本発明に係るプロテクタのロック構造は、前記各ガタ防止ロック部が、少なくとも前記本体および前記蓋部の長手方向両端部に配置されていることを特徴としている。
【００１０】
このように構成されたプロテクタのロック構造においては、本体と蓋部とを互いに組み合わせて形成される筒体の少なくとも前後両端部のロック部にガタ防止ロック部を設けたので、筒体は両端部においてロック部のガタ付きを防止できる。これにより、プロテクタの全体にわたって捩れにくくできる。
【００１１】
３）また、本発明に係るプロテクタのロック構造は、前記本体および前記蓋部により形成される前記筒体が屈曲しているとともに、前記ガタ防止ロック部が前記筒体の屈曲部の近傍に配置されていることを特徴としている。
【００１２】
このように構成されたプロテクタのロック構造においては、プロテクタが屈曲している場合には、本体と蓋部とを互いに組み合わせて形成される筒体の屈曲部の近傍に設けられているロック部にガタ防止ロック部を設けたので、筒体の屈曲部においてロック部のガタ付きを防止できる。これにより、プロテクタを捩れにくくできる。
【００１３】
４）また、本発明に係るプロテクタのロックは、前記各ガタ防止ロック部が、前記筒体の長手方向に対して交差する方向に沿って対向配置されていることを特徴としている。
【００１４】
このように構成されたプロテクタのロック構造においては、本体と蓋部とを互いに組み合わせて形成される筒体の長手方向に沿って左右両側に対向して設けられているロック部にガタ防止ロック部を用いたので、いずれの方向に力が作用してもロック部のガタ付きを防止できる。これにより、プロテクタを捩れにくくできる。
【００１５】
５）また、本発明に係るプロテクタのロック構造は、前記各ガタ防止ロック部が、前記本体および前記蓋部のうちの一方から他方に向かって延びる係止片と、前記本体および前記蓋部のうちの他方に設けられて前記係止片が挿入される係止部とを備え、前記係止片の幅寸法が前記係止部の内寸法より大きめの略同一であるとともに、前記係止片の幅方向両端縁に当該係止片の幅方向に向かって徐々に肉厚が薄くなるテーパ部が設けられていることを特徴としている。
【００１６】
このように構成されたプロテクタのロック構造においては、係止片の幅寸法を係止部の内寸法より大きめの略同一とするとともに、係止片の幅方向両端部に外向きに細くなるテーパ部を設けてガタ防止ロック部を構成したので、係止片を係止部の内側に装着した際にテーパ部が係止部に押し付けられる。このため、係止片のテーパ部は係止部に押圧されて変形し、係止片が係止部に対してガタつくのを防止できる。また、テーパ部を係止片の両縁部に設けたので、簡単な金型により、容易に製造できる。
【００１７】
６）また、本発明に係るワイヤハーネスは、前述した１）〜５）のうちのいずれかに記載したプロテクタのロック構造を有するプロテクタが装着されていることを特徴としている。
【００１８】
このように構成されたワイヤハーネスにおいては、ワイヤハーネスに装着されているプロテクタのロック部にガタ防止ロック部を適宜設けたので、容易にロック部のガタ付きを防止して、プロテクタの捩れを防止できる。これにより、ワイヤハーネスの所定箇所を確実にプロテクトできる。
【発明の効果】
【００１９】
本発明によれば、簡易な構造によりロック部のガタ付きを防止してプロテクタの捩れを防止できる。
【発明を実施するための最良の形態】
【００２０】
以下、本発明に係る実施形態を図面に基づいて詳細に説明する。図１は本発明のプロテクタのロック構造およびワイヤハーネスに係る実施形態を示す斜視図、図２（Ａ）はロック部の斜視図、図２（Ｂ）はガタ防止ロック部の斜視図、図３（Ａ）〜（Ｃ）はガタ防止ロック部の断面図、図４はロック部の配置およびガタ防止ロック部の配置図である。
【００２１】
図１に示すように、本発明に係るプロテクタのロック構造１０では、本体２１および蓋部２２を互いに組み合わせて形成され電線束１１を収納可能な筒体であるプロテクタ２０Ａにおいて、本体２１および蓋部２２を相互に係合可能な複数のロック部３０が設けられている。これらのロック部３０は、本体２１および蓋部２２の長手方向（図１中左右方向）に沿って所定間隔で配置されており、その内の少なくとも二箇所にガタ防止ロック部３１が設けられている。
例えば、図１に示すプロテクタ２０Ａでは、直線状の筒体であるプロテクタ２０Ａの左右（図１において上下）両側において、長手方向両端部（図１において左右両端部）にガタ防止ロック部３１を配置し、中央部分には通常のロック部３０を配置している。
【００２２】
ロック部３０およびガタ防止ロック部３１では、本体２１あるいは蓋部２２のいずれか一方（ここでは、例えば本体２１）に係止部３２が設けられており、他方（ここでは蓋部２２）に係止片３３が設けられている。
図２（Ａ）にはロック部３０を示し、図２（Ｂ）にはガタ防止ロック部３１を示してある。図２（Ａ）、（Ｂ）に示すように、ロック部３０およびガタ防止ロック部３１においては、係止部３２は、一対の支持壁３２ａと、各支持壁３２ａの上端部（図２（Ａ）、（Ｂ）において左側端部）を連結する係止梁３２ｂとから門型状に形成されており、内部に空間３２ｃを有している。また、係止片３３は舌状の可撓性の部材であり、外側面の先端（図２において下端）には先端が尖った台形状のツメ３３ａが設けられている。さらに、ガタ防止ロック部３１においては、係止片３３の左右両端部にガタ防止手段であるテーパ部３４が設けられている。
【００２３】
図３（Ａ）〜（Ｃ）には、ガタ防止ロック部３１における係止片３３の断面形状の例が示されている。
各係止片３３Ａ、３３Ｂ、３３Ｃにおいて一定厚さを有する本体部３３ｂの外側には、ガタ防止手段として外側に向かって徐々に肉厚が薄くなって先端が尖るようにテーパ部３４Ａ、３４Ｂ、３４Ｃが設けられている。
なお、本体部３３ｂの幅は、ロック部３０における係止片３３の幅に相当する。
【００２４】
すなわち、図３（Ａ）に示す係止片３３Ａでは、テーパ部３４Ａの内外両面（図３において上下両面）にテーパ面３４ａが設けられていて、左右両外側に向かって尖っている。
また、図３（Ｂ）に示す係止片３３Ｂでは、外側面（図３において下面）又は内側面（図３において上面）のいずれか一方（ここでは例えば内側面）にのみテーパ面３４ａが設けられて、外側に向かって尖っている。さらに、図３（Ｃ）に示す係止片３３Ｃでは、平行なテーパ面３４ａが設けられている。
【００２５】
各係止片３３Ａ、３３Ｂ、３３Ｃの全幅ＷＡは、係止部３２の内幅ＷＢ（図２（Ｂ）参照）よりも若干大き目の略同一となっており、係止片３３Ａ、３３Ｂ、３３Ｃを係止部３２の空間３２ｃに挿入できるとともに、挿入された係止片３３Ａ、３３Ｂ、３３Ｃは、テーパ部３４Ａ、３４Ｂ、３４Ｃが係止部３２の支持壁３２ａに押し付けられて変形するようになっている。
【００２６】
従って、係止片３３を係止部３２の空間３２ｃに挿入すると、ロック部３０においてはツメ３３ａが係止梁３２ｂに引っ掛かるため、ロックされる。一方、ガタ防止ロック部３１においては、さらに係止片３３のテーパ部３４が係止部３２の支持壁３２ａに押し付けられるので、支持片３３のガタつきを防止できる。
なお、ロック部３０あるいはガタ防止ロック部３１を係合させる際には、まず、両端部に設けられているガタ防止ロック部３１の係合を行い、次いで、中央部に設けられているガタ防止ロック部３１の係合を行い、最後に、通常のロック部３０の係合を行う。
【００２７】
以上、前述したプロテクタのロック構造およびワイヤハーネスによると、本体２１および蓋部２２の長手方向に沿って所定間隔で配置されているロック部３０のうち、少なくとも二箇所にガタ防止ロック部３１が配置されているので、簡易な構造によりロック部３０のガタ付きを防止してプロテクタの捩れを防止できる。これにより、ワイヤハーネスＷ／Ｈの所定箇所を確実にプロテクトできる。
【００２８】
また、プロテクタ２０Ａの少なくとも前後両端部のロック部３０にガタ防止ロック部３１を設けたので、プロテクタ２０Ａは両端部においてロック部３０のガタ付きを防止できる。
なお、図１に示した用に、両端のガタ防止ロック部３１以外のロック部３０あるいはガタ防止ロック部３１を千鳥状に設けるようにすると、プロテクタ２０Ａの長手方向に沿った係合間隔が短くなるので、より効果的にプロテクタ２０Ａの捩れを防止できる。
【００２９】
次に、図４には本発明に係るプロテクタのロック構造およびワイヤハーネスの第２実施形態が示されている。なお、前述した第１実施形態と共通する部位には同じ符号を付して、重複する説明を省略することとする。
図４に示すように、プロテクタ２０ＢはＬ字状に屈曲しており、左右両側において所定間隔で複数個のロック部３０が配置されている。そのうち、前後両端部と屈曲部２３の近傍には、ガタ防止ロック部３１が配置されている。
【００３０】
なお、屈曲部２３とは、平面的な屈曲のみならず、立体的な屈曲も含むものとする。また、屈曲部２３の近傍に設けられているガタ防止ロック部３１の係合順序は、第１実施形態において説明した中央部のガタ防止ロック部３１と同じ順番で係合させる。
これにより、屈曲部２３付近においてロック部３０がガタつくのを防止できるので、屈曲部２３付近においてロック部３０が緩んで本体２１と蓋部２２とがガタつくのを防止できる。
【００３１】
次に、図５には本発明に係るプロテクタのロック構造およびワイヤハーネスの第３実施形態が示されている。
なお、前述した第１実施形態、第２実施形態と共通する部位には同じ符号を付して、重複する説明を省略することとする。
【００３２】
すなわち、図５に示すように、プロテクタ２０Ｃは２箇所で屈曲しており、左右両側の所定位置に複数個のロック部３０が配置されている。そのうち、一方の屈曲部２３の近傍には、ガタ防止ロック部３１が配置されている。また、プロテクタ２０Ｃの長手方向に対して交差する方向に沿ってガタ防止ロック部３１が配置されている。
これにより、屈曲部２３付近においてロック部３０がガタつくのを防止できるので、屈曲部２３付近においてロック部３０が緩んで本体２１と蓋部２２とがガタつくのを防止できる。
なお、図５において括弧内の符号に示すように、プロテクタ２０Ｃの長手方向に沿ってガタ防止ロック部３１を千鳥状に配置してもよい。
このように各ガタ防止ロック部３１を配置すれば、各ガタ防止ロック部３１自体がガタつくのを防止できるとともに、プロテクタ２０Ｃの捻り変形に対して強度が向上する。
【００３３】
なお、本発明のプロテクタのロック構造およびワイヤハーネスは、前述した各実施形態に限定されるものでなく、適宜な変形，改良等が可能である。
例えば、プロテクタ２０の形状は、各実施形態において前述したものに限らず、種々の形態を採ることができる。
また、前述した各実施形態においては、ロック部３０とガタ防止ロック部３１とを併用した場合について説明したが、全箇所にガタ防止ロック部３１を用いることもできる。
【図面の簡単な説明】
【００３４】
【図１】本発明のプロテクタのロック構造およびワイヤハーネスに係る第１実施形態を示す斜視である。
【図２】ロック部の断面図である。
【図３】（Ａ）〜（Ｃ）はガタ防止ロック部の断面図である。
【図４】本発明のプロテクタのロック構造およびワイヤハーネスに係る第２実施形態を示す斜視図である。
【図５】本発明のプロテクタのロック構造およびワイヤハーネスに係る第３実施形態を示す斜視図である。
【図６】従来のプロテクタを示す斜視図である。
【図７】従来のロック部を示す斜視図である。
【図８】従来のロック部における問題点を示す断面図である。
【図９】従来の係止部を示す断面図である。
【符号の説明】
【００３５】
１０  プロテクタのロック構造
１１  電線束
２０  プロテクタ（筒体）
２１  本体
２２  蓋部
２３  屈曲部
３０  ロック部
３１  ガタ防止ロック部
３２  係止部
３３  係止片
３４  テーパ部（ガタ防止手段）
ＷＡ  係止片の幅寸法
ＷＢ  係止部の内寸法
Ｗ／Ｈ  ワイヤハーネス
【図１】
2005160222.tif 000003
【図２】
2005160222.tif 000004
【図３】
2005160222.tif 000005
【図４】
2005160222.tif 000006
【図５】
2005160222.tif 000007
【図６】
2005160222.tif 000008
【図７】
2005160222.tif 000009
【図８】
2005160222.tif 000010
【図９】
2005160222.tif 000011